(57)【要約】【課題】鉄構の中に容易に設置可能で、作業者に対して確実に誘導することが可能であり、立会者、現場代理人、または監視員が誤った指示を出すことを防止する移動表示装置及び移動表示システムを提供する。【解決手段】移動表示システム１は、鉄構ＴＫの中において、点検等を行う作業者を誘導するための装置であり、鉄構ＴＫの中の通路に設置される移動表示装置２と、鉄構ＴＫの外から遠隔操作するための制御装置３とを備えている。移動表示装置２は、制御装置３の制御により、設置されている通路が通行可能である場合には、点検等の対象区間に誘導するための案内表示を行い、当該通路が通行不可能である場合には、×印等の通行禁止表示を行い、当該通路に隣接する区間に配設されている電線が通電している場合には、注意喚起表示を行うので、作業者に対して確実に誘導することが可能になる。【選択図】  図１
2018041135.tif 000002
【特許請求の範囲】
【請求項１】
所定の区間に仕切られて電線が配設されている鉄構の中で前記区間の間を移動するための通路に設けられ、作業者を前記区間のうちの１の区間に誘導する移動表示装置であって、
前記通路が通行可能である場合、前記１の区間へ通行可能である旨の案内表示を行い、
前記通路が通行不可能である場合、通行不可能である旨の通行禁止表示を行い、
前記通路に隣接する前記区間に配設されている前記電線が充電中である場合、前記電線が充電中である旨の注意喚起表示を行う、
ことを特徴とする移動表示装置。
【請求項２】
前記案内表示は、前記１の区間へ通行可能な方向の矢印表示である、
ことを特徴とする請求項１に記載の移動表示装置。
【請求項３】
請求項１または２のいずれか１項に記載の移動表示装置と、
前記移動表示装置と通信可能であり、前記１の区間を変更可能な制御装置と、を備え、
前記移動表示装置は、前記制御装置による前記１の区間の変更に伴い表示内容を変更する、
ことを特徴とする移動表示システム。
【請求項４】
前記制御装置は、前記鉄構に配設されている前記電線の通電を遮断する遮断器及び断路器に設置されているパレットスイッチからの入／切情報を取得し、前記入／切情報に基づいて前記移動表示装置の表示内容を変更させる、
ことを特徴とする請求項３に記載の移動表示システム。
【発明の詳細な説明】
【技術分野】
【０００１】
この発明は、鉄塔等の鉄骨構造物である鉄構の中で作業者を誘導する移動表示装置及び移動表示システムに関する。
【背景技術】
【０００２】
例えば、送電線鉄塔や、変電所構内に建設された鉄骨構造物等の鉄構には、高圧電線が配設され、過電流等が流れた場合にその流れを遮断する遮断器や、無負荷状態の時に電路を分離する断路器が設けられている。この遮断器や断路器は、鉄構の鉄骨等により仕切られて形成された所定の区画に配設されている。また、これらの遮断器や断路器には、入／切状態を信号により通知するパレットスイッチが設けられ、鉄構内の遮断器及び断路器の入／切状態が把握できるようになっている。
【０００３】
このような遮断器や断路器、またはパレットスイッチを点検するような場合、鉄構に配設されている電線の通電を停止して点検を行う。このとき、点検を行う作業員は、鉄構に設けられている昇降口から鉄構の中に入って鉄骨を伝って昇り、点検を行う対象の区画に入って点検作業を行う。この区画を間違えた場合、電線が通電していると感電事故のおそれがあるが、鉄構の構造は複雑であり、作業者が間違えることなく点検対象の区間に到着することは困難な場合がある。また、このような作業指示を行う立会者、現場代理人、または監視員がいたとしても、誤った指示を出す恐れがある。
【０００４】
建設物内で作業者を誘導するために、例えば、歩行者が携帯して使用することが可能な、建設物内における現在地点及び目的地までの経路を誘導する経路誘導装置が知られている（例えば、特許文献１参照。）。この経路誘導装置は、建設物に入るまではＧＰＳ（Ｇｌｏｂａｌ  Ｐｏｓｉｔｉｏｎｉｎｇ  Ｓｙｓｔｅｍ）による位置情報を取得して現在位置を把握し、建設物に入った後は歩数センサと建設物の内部情報とから現在地を特定して表示する装置である。
【０００５】
また、例えば、ガラス床に誘導等を備えた誘導灯付きガラス床が知られている（例えば、特許文献２参照。）。この誘導灯付きガラス床は、災害時等の避難誘導を目的とするものであり、避難口までの経路を矢印等で示す装置である。
【先行技術文献】
【特許文献】
【０００６】
【特許文献１】特開平１０−１７０３０１号公報
【特許文献２】特開２００７−３３２５３８号公報
【発明の概要】
【発明が解決しようとする課題】
【０００７】
しかしながら、特許文献１に記載の経路誘導装置は、建設物内部の構造情報が必要であり、多数建設されている鉄構に適用するのは容易ではないものである。また、特許文献２に記載の誘導灯付きガラス床は、鉄構に適用するとガラス床の破損のおそれがあり、現実的ではないものであり、また、このガラス床は、表示内容を状況に応じて変更させることが出来ないものである。
【０００８】
そこでこの発明は、送電線鉄塔や変電所構内に建設された鉄骨構造物等の鉄構の中に容易に設置可能で、作業者に対して確実に誘導することが可能であり、立会者、現場代理人、または監視員が誤った指示を出すことを防止する移動表示装置及び移動表示システムを提供することを目的とする。
【課題を解決するための手段】
【０００９】
上記課題を解決するために、請求項１の発明は、所定の区間に仕切られて電線が配設されている鉄構の中で前記区間の間を移動するための通路に設けられ、作業者を前記区間のうちの１の区間に誘導する移動表示装置であって、前記通路が通行可能である場合、前記１の区間へ通行可能である旨の案内表示を行い、前記通路が通行不可能である場合、通行不可能である旨の通行禁止表示を行い、前記通路に隣接する前記区間に配設されている前記電線が充電中である場合、前記電線が充電中である旨の注意喚起表示を行う、ことを特徴とする。
【００１０】
この発明では、鉄構の中の通路が通行可能である場合、移動表示装置が１の区間へ通行可能な案内表示を行い、鉄構の中の通路が通行不可能である場合、通行不可能である旨の通行禁止表示を行い、鉄構の中の通路に隣接する区間に配設されている電線が充電中である場合、電線が充電中である旨の注意喚起表示を行う。
【００１１】
請求項２の発明は、請求項１に記載の移動表示装置において、前記案内表示は、前記１の区間へ通行可能な方向の矢印表示である、ことを特徴とする。
【００１２】
請求項３の発明は、請求項１または２のいずれか１項に記載の移動表示装置と、前記移動表示装置と通信可能であり、前記１の区間を変更可能な制御装置と、を備え、前記移動表示装置は、前記制御装置による前記１の区間の変更に伴い表示内容を変更する、ことを特徴とする移動表示システムである。
【００１３】
請求項４の発明は、請求項３に記載の移動表示システムにおいて、前記制御装置は、前記鉄構に配設されている前記電線の通電を遮断する遮断器及び断路器に設置されているパレットスイッチからの入／切情報を取得し、前記入／切情報に基づいて前記移動表示装置の表示内容を変更させる、ことを特徴とする。
【発明の効果】
【００１４】
請求項１の発明によれば、移動表示装置が鉄構の中の通路に設けられているため、鉄構の中に容易に設置可能である。また、通路が通行可能である場合、移動表示装置が１の区間、すなわち作業対象区間へ通行可能な案内表示を行い、通路が通行不可能である場合、通行不可能である旨の通行禁止表示を行い、通路に隣接する区間に配設されている電線が充電中である場合、電線が充電中である旨の注意喚起表示を行うため、作業者に対して確実に作業を行う区間までの経路を誘導することが可能になる。
【００１５】
請求項２の発明によれば、移動表示装置が作業対象区間へ通行可能な方向の矢印表示を行うので、作業者に対して確実に作業を行う区間までの経路を誘導することが可能になる。
【００１６】
請求項３の発明によれば、移動表示装置と通信可能であり、作業対象区間を変更可能な制御装置を備え、移動表示装置は、制御装置による作業対象区間の変更に伴い表示内容を変更するので、作業指示を行う立会者、現場代理人、または監視員が誤った指示を出すことを防止することが出来る。
【００１７】
請求項４の発明によれば、制御装置は、遮断器及び断路器に設置されているパレットスイッチからの入／切情報を取得して移動表示装置の表示内容を変更させるので、作業者に対して確実に作業を行う区間までの経路を誘導することが可能になる。
【図面の簡単な説明】
【００１８】
【図１】この発明の実施の形態に係る移動表示システム１の構成を示す外観図である。
【図２】図１の移動表示装置２が設置される鉄構ＴＫの例を示す平面図である。
【図３】図１の制御装置３を用いて図２の甲母線ＢＬ１を停電させるときの制御の例を示すフローチャートである。
【図４】図１の制御装置３を用いて図２の乙母線ＢＬ２を停電させるときの制御の例を示すフローチャートである。
【図５】図１の制御装置３を用いて図２のＡ線１Ｌを停電させるときの制御の例を示すフローチャートである。
【図６】図１の制御装置３を用いて図２のＡ線２Ｌを停電させるときの制御の例を示すフローチャートである。
【図７】図１の制御装置３を用いて図２のＢ線１Ｌを停電させるときの制御の例を示すフローチャートである。
【図８】図１の制御装置３を用いて図２のＢ線２Ｌを停電させるときの制御の例を示すフローチャートである。
【図９】図２の鉄構において区間Ｚ６への経路が表示された状態の例を示す平面図である。
【発明を実施するための形態】
【００１９】
以下、この発明を図示の実施の形態に基づいて説明する。
【００２０】
図１ないし図９は、この発明の実施の形態に係る移動表示システム１を示している。図１は、移動表示システム１の構成を示す外観図であり、図２は、図１の移動表示装置２が設置される鉄構ＴＫの例を示す平面図である。この移動表示システム１は、図２に示すような鉄構ＴＫの中において、点検等を行う作業者を誘導するための装置であり、図１に示すように、例えば、主として移動表示装置２と、制御装置３とを備え、この移動表示装置２と制御装置３とは無線ネットワークＮを介して通信可能に接続されている。
【００２１】
移動表示装置２は、図２の鉄構ＴＫの中に仕切られた区間Ｚ１〜Ｚ２０の間を移動するための通路に設けられ、仕切られた区間のうちの１の区間、すなわち点検等の対象区間へ作業者を誘導する装置であり、例えば、長手方向が横方向の略長方形の平板状に形成されて表示面２１が設けられ、鉄構ＴＫの構造物である鉄骨ＴＢに設置されている。この移動表示装置２は、例えば、表示面２１に複数の発光体（例えば、ＬＥＤ：Ｌｉｇｈｔ  Ｅｍｉｔｔｉｎｇ  Ｄｉｏｄｅ）により文字や図形が表示されるような発光体パネルや、液晶ディスプレイ等により構成されている。
【００２２】
このような移動表示装置２が設置される鉄構ＴＫは、送電線鉄塔や、変電所構内に建設された鉄骨構造物等であり、例えば、図２に示すように、内部が区間Ｚ１〜Ｚ２０のように仕切られており、甲母線ＢＬ１、乙母線ＢＬ２、Ａ線１Ｌ，２Ｌ、Ｂ線１Ｌ，２Ｌが配線され、計器用変圧器ＰＤ１，ＰＤ２、遮断器ＣＢ１〜ＣＢ５、断路器ＤＣ１〜ＤＣ１４が接続されている。区間Ｚ１〜Ｚ２０は、例えば鉄骨ＴＢにより仕切られた空間である。なお、移動表示装置２は、区間Ｚ１〜Ｚ２０の間を移動するための通路が交差する位置に、それぞれの通路方向に設置されている。
【００２３】
甲母線ＢＬ１及び乙母線ＢＬ２は、計器用変圧器ＰＤ１，ＰＤ２に接続されている主回路であり、甲母線ＢＬ１は区間Ｚ１２にて計器用変圧器ＰＤ１から接続されて区間Ｚ９〜Ｚ１４に配線され、乙母線ＢＬ２は区間Ｚ１８にて計器用変圧器ＰＤ２から接続されて区間Ｚ３〜Ｚ８，Ｚ１４〜Ｚ２０に配線されている。また、甲母線ＢＬ１及び乙母線ＢＬ２は、区間Ｚ６にてＡ線１Ｌに、区間Ｚ７にてＡ線２Ｌに、区間Ｚ９にてＢ線１Ｌに、区間Ｚ１０にてＢ線２Ｌに、それぞれ分岐されるように配線されている。
【００２４】
遮断器ＣＢ１〜ＣＢ５は、過電流等が流れた場合にその流れを遮断する装置であり、遮断器ＣＢ１は区間Ｚ１にてＡ線１Ｌに接続されて設けられ、遮断器ＣＢ２は区間Ｚ２にてＡ線２Ｌに接続されて設けられ、遮断器ＣＢ３は区間Ｚ５にて甲母線ＢＬ１と乙母線ＢＬ２との間に接続されて設けられ、遮断器ＣＢ４は区間Ｚ１５にてＢ線１Ｌに接続されて設けられ、遮断器ＣＢ５は区間Ｚ１６にてＢ線２Ｌに接続されて設けられている。
【００２５】
断路器ＤＣ１〜ＤＣ１４は、無負荷状態の時に電路を分離する装置であり、断路器ＤＣ１は区間Ｚ１にてＡ線１Ｌの遮断器ＣＢ１より外側に接続されて設けられ、断路器ＤＣ２は区間Ｚ２にてＡ線２Ｌの遮断器ＣＢ２より外側に接続されて設けられ、断路器ＤＣ３は区間Ｚ５にて甲母線ＢＬ１と乙母線ＢＬ２との間の乙母線ＢＬ２側に接続されて設けられ、断路器ＤＣ４は区間Ｚ６にて甲母線ＢＬ１と乙母線ＢＬ２との間の乙母線ＢＬ２側に接続されて設けられ、断路器ＤＣ５は区間Ｚ７にて甲母線ＢＬ１と乙母線ＢＬ２との間の乙母線ＢＬ２側に接続されて設けられ、断路器ＤＣ６は区間Ｚ９にて甲母線ＢＬ１と乙母線ＢＬ２との間の甲母線ＢＬ１側に接続されて設けられ、断路器ＤＣ７は区間Ｚ１０にて甲母線ＢＬ１と乙母線ＢＬ２との間の甲母線ＢＬ１側に接続されて設けられ、断路器ＤＣ８は区間Ｚ１１にて甲母線ＢＬ１と乙母線ＢＬ２との間の甲母線ＢＬ１側に接続されて設けられ、断路器ＤＣ９は区間Ｚ１２にて甲母線ＢＬ１と乙母線ＢＬ２との間の甲母線ＢＬ１側に接続されて設けられ、断路器ＤＣ１０は区間Ｚ１３にて甲母線ＢＬ１と乙母線ＢＬ２との間の甲母線ＢＬ１側に接続されて設けられ、断路器ＤＣ１１は区間Ｚ１５にて甲母線ＢＬ１と乙母線ＢＬ２との間の乙母線ＢＬ２側に接続されて設けられ、断路器ＤＣ１２は区間Ｚ１５にてＢ線１Ｌの遮断器ＣＢ４より外側に接続されて設けられ、断路器ＤＣ１３は区間Ｚ１６にて甲母線ＢＬ１と乙母線ＢＬ２との間の乙母線ＢＬ２側に接続されて設けられ、断路器ＤＣ１４は区間Ｚ１６にてＢ線２Ｌの遮断器ＣＢ５より外側に接続されて設けられている。
【００２６】
図１に示す移動表示装置２の表示面２１に表示される表示内容は、例えば、この移動表示装置２が設置されている通路が通行可能である場合には、図１に示すように、点検等の対象区間に誘導するための案内表示（矢印表示）であり、当該通路が通行不可能である場合には、例えば×印等の通行禁止表示であり、当該通路に隣接する区間に配設されている電線が通電している場合には、例えば「下部充電箇所あり」のような注意喚起表示である。
【００２７】
制御装置３は、遮断器や断路器に設けられているパレットスイッチから入／切情報を取得し、移動表示装置２に制御信号を送信し、移動表示装置２の表示内容を鉄構ＴＫの外から遠隔操作により変更可能な装置であり、主として表示部３１と、操作部３２とを備えている。表示部３１は、後述する鉄構ＴＫに配設されている遮断器や断路器の入／切情報、移動表示装置２の表示情報等を表示するための装置であり、例えば液晶パネル等により構成されている。操作部３２は、停電させる電気系統を甲母線ＢＬ１、乙母線ＢＬ２、Ａ線１Ｌ、２Ｌ、Ｂ線１Ｌ、２Ｌから選択する場合や、作業者が作業を行う区間を鉄構ＴＫの区間Ｚ１〜Ｚ２０の中から選択するための、例えば情報入力を行うためのボタンであり、このボタンを選択して押下することにより、移動表示装置２の表示内容が変更するようになっている。
【００２８】
次に、このような移動表示システム１の作用等について、以下に説明する。
【００２９】
図３は、図１の制御装置３を用いて図２の甲母線ＢＬ１を停電させるときの制御の例を示すフローチャートであり、図４は、図１の制御装置３を用いて図２の乙母線ＢＬ２を停電させるときの制御の例を示すフローチャートであり、図５は、図１の制御装置３を用いて図２のＡ線１Ｌを停電させるときの制御の例を示すフローチャートであり、図６は、図１の制御装置３を用いて図２のＡ線２Ｌを停電させるときの制御の例を示すフローチャートであり、図７は、図１の制御装置３を用いて図２のＢ線１Ｌを停電させるときの制御の例を示すフローチャートであり、図８は、図１の制御装置３を用いて図２のＢ線２Ｌを停電させるときの制御の例を示すフローチャートである。図２に示す甲母線ＢＬ１、乙母線ＢＬ２、Ａ線１Ｌ，２Ｌ、Ｂ線１Ｌ，２Ｌを停電させる場合、図１に示す制御装置３は、以下のように制御を行う。
【００３０】
図２の甲母線ＢＬ１を停電させる場合、制御装置３の操作部３２の操作により甲母線ＢＬ１の停電が指示されると、まず、図３に示すように、制御装置３から送信される制御信号により、断路器ＤＣ９が切断され（ステップＳ１１）、断路器ＤＣ１０が切断され（ステップＳ１２）、断路器ＤＣ６が切断され（ステップＳ１３）、断路器ＤＣ７が切断され（ステップＳ１４）、遮断器ＣＢ３が切断され（ステップＳ１５）、変更後の状態でパレットスイッチから入／情報を取得する。そして、制御装置３から、区間Ｚ９〜Ｚ１４の乙母線ＢＬ２側に設置されている移動表示装置２に「下部充電箇所あり」と表示させる制御信号が送信され、表示面２１ではその制御信号により注意喚起表示が行われる。さらに、区間Ｚ１〜Ｚ２０の選択により、表示面２１には図１に示すような矢印の案内表示や、×印の通行禁止表示が行われる。
【００３１】
乙母線ＢＬ２を停電させる場合、制御装置３の操作部３２の操作により乙母線ＢＬ２の停電が指示されると、図４に示すように、制御装置３から送信される制御信号により、断路器ＤＣ４が切断され（ステップＳ２１）、断路器ＤＣ５が切断され（ステップＳ２２）、断路器ＤＣ１１が切断され（ステップＳ２３）、断路器ＤＣ１３が切断され（ステップＳ２４）、遮断器ＣＢ３が切断され（ステップＳ２５）、変更後の状態でパレットスイッチから入／情報を取得する。そして、制御装置３から、区間Ｚ３〜Ｚ８、区間Ｚ１５〜Ｚ２０の甲母線ＢＬ１側に設置されている移動表示装置２に「下部充電箇所あり」と表示させる制御信号が送信され、表示面２１ではその制御信号により注意喚起表示が行われる。さらに、区間Ｚ１〜Ｚ２０の選択により、表示面２１には図１に示すような矢印の案内表示や、×印の通行禁止表示が行われる。
【００３２】
Ａ線１Ｌを停電させる場合、制御装置３の操作部３２の操作によりＡ線１Ｌの停電が指示されると、まず、図５に示すように、制御装置３から送信される制御信号により、断路器ＤＣ１が切断され（ステップＳ３１）、遮断器ＣＢ１が切断され（ステップＳ３２）、断路器ＤＣ９が切断され（ステップＳ３３）、断路器ＤＣ４が切断され（ステップＳ３４）、変更後の状態でパレットスイッチから入／情報を取得する。そして、制御装置３から、区間Ｚ１，Ｚ６の隣接区間側に設置されている移動表示装置２に「下部充電箇所あり」と表示させる制御信号が送信され、表示面２１ではその制御信号により注意喚起表示が行われる。さらに、区間Ｚ１〜Ｚ２０の選択により、表示面２１には図１に示すような矢印の案内表示や、×印の通行禁止表示が行われる。
【００３３】
Ａ線２Ｌを停電させる場合、制御装置３の操作部３２の操作によりＡ線２Ｌの停電が指示されると、まず、図６に示すように、制御装置３から送信される制御信号により、断路器ＤＣ２が切断され（ステップＳ４１）、遮断器ＣＢ２が切断され（ステップＳ４２）、断路器ＤＣ１０が切断され（ステップＳ４３）、断路器ＤＣ５が切断され（ステップＳ４４）、変更後の状態でパレットスイッチから入／情報を取得する。そして、制御装置３から、区間Ｚ２，Ｚ７の隣接区間側に設置されている移動表示装置２に「下部充電箇所あり」と表示させる制御信号が送信され、表示面２１ではその制御信号により注意喚起表示が行われる。さらに、区間Ｚ１〜Ｚ２０の選択により、表示面２１には図１に示すような矢印の案内表示や、×印の通行禁止表示が行われる。
【００３４】
Ｂ線１Ｌを停電させる場合、制御装置３の操作部３２の操作によりＢ線１Ｌの停電が指示されると、まず、図７に示すように、制御装置３から送信される制御信号により、断路器ＤＣ１２が切断され（ステップＳ５１）、遮断器ＣＢ４が切断され（ステップＳ５２）、断路器ＤＣ６が切断され（ステップＳ５３）、断路器ＤＣ１１が切断され（ステップＳ５４）、変更後の状態でパレットスイッチから入／情報を取得する。そして、制御装置３から、区間Ｚ９，Ｚ１５の隣接区間側に設置されている移動表示装置２に「下部充電箇所あり」と表示させる制御信号が送信され、表示面２１ではその制御信号により注意喚起表示が行われる。さらに、区間Ｚ１〜Ｚ２０の選択により、表示面２１には図１に示すような矢印の案内表示や、×印の通行禁止表示が行われる。
【００３５】
Ｂ線２Ｌを停電させる場合、制御装置３の操作部３２の操作によりＢ線２Ｌの停電が指示されると、まず、図８に示すように、制御装置３から送信される制御信号により、断路器ＤＣ１４が切断され（ステップＳ６１）、遮断器ＣＢ５が切断され（ステップＳ６２）、断路器ＤＣ７が切断され（ステップＳ６３）、断路器ＤＣ１３が切断され（ステップＳ６４）、変更後の状態でパレットスイッチから入／情報を取得する。そして、制御装置３から、区間Ｚ１０，Ｚ１６の隣接区間側に設置されている移動表示装置２に「下部充電箇所あり」と表示させる制御信号が送信され、表示面２１ではその制御信号により注意喚起表示が行われる。さらに、区間Ｚ１〜Ｚ２０の選択により、表示面２１には図１に示すような矢印の案内表示や、×印の通行禁止表示が行われる。
【００３６】
区間Ｚ１〜Ｚ２０の選択の例として、図２の鉄構ＴＫにて甲母線ＢＬ１及びＡ線１Ｌが停電された状態で、区間Ｚ８と区間Ｚ１４との間の外側に昇降口が設けられ、区間Ｚ６にて作業が行われる場合、区間Ｚ６への経路が表示された状態の例を図９に示す。甲母線ＢＬ１及びＡ線１Ｌが停電されているため、これらの区間（図９の破線部内）に隣接する通路に設置されている移動表示装置２には、「下部充電箇所あり」と注意喚起表示がされている。また、昇降口が設けられている区間Ｚ８と区間Ｚ１４との間の通路、及び区間Ｚ７と区間Ｚ１３との間の通路に設置されている移動表示装置２には、区間Ｚ６へ向けた矢印表示がされている。さらに、その他の乙母線ＢＬ２、Ａ線２Ｌ、Ｂ線１Ｌ，２Ｌは通電しているので、これらの区間（図９の破線部外）に隣接する通路に設置されている移動表示装置２には、×印の通行禁止表示がされている。これにより、作業者に対して確実に区間Ｚ６への経路を誘導することが出来る。
【００３７】
このように、この移動表示システム１及び移動表示装置２によれば、移動表示装置２が鉄構ＴＫ内の通路に設けられるため、鉄構ＴＫ内に容易に設置可能である。また、移動表示装置２は、区間Ｚ８と区間Ｚ１４との間の通路、及び区間Ｚ７と区間Ｚ１３との間の通路では区間Ｚ６へ向けた矢印表示がなされ、図９の破線部内に隣接する通路では「下部充電箇所あり」と注意喚起表示がなされ、図９の破線部外に隣接する通路では×印の通行禁止表示がなされているので、作業者に対して確実に区間Ｚ６への経路を誘導することが出来る。
【００３８】
また、移動表示装置２と無線ネットワークＮを介して通信可能に接続された制御装置３を備え、停電させる電気系統を甲母線ＢＬ１、乙母線ＢＬ２、Ａ線１Ｌ、２Ｌ、Ｂ線１Ｌ、２Ｌの中から選択可能であり、作業者が作業を行う区間を鉄構ＴＫの区間Ｚ１〜Ｚ２０の中から選択可能であるため、作業指示を行う立会者、現場代理人、または監視員が誤った指示を出すことを防止することが可能になる。
【００３９】
以上、この発明の実施の形態について説明したが、具体的な構成は、上記の実施の形態に限られるものではなく、この発明の要旨を逸脱しない範囲の設計の変更等があっても、この発明に含まれる。例えば、上述した実施の形態では、移動表示装置２をＬＥＤ等の複数の発光体により文字や図形が表示されるような発光体パネルや、液晶ディスプレイ等により構成したが、図形や文字を表示可能な装置であれば良く、また、形状も長手方向が横方向の略長方形の平板状に限られない。
【００４０】
また、上述した実施の形態では、制御装置３をボタン入力される操作部３２を備えた装置としたが、このような構成に限られず、タッチパネル装置等により構成しても良い。
さらに、上述した実施の形態における鉄構ＴＫも、このような構成に限られない。
【符号の説明】
【００４１】
１                          移動表示システム
２                          移動表示装置
３                          制御装置
２１                        表示面
３１                        表示部
３２                        操作部
ＢＬ１                      甲母線
ＢＬ２                      乙母線
ＣＢ１，ＣＢ２，ＣＢ３，
ＣＢ４，ＣＢ５              遮断器
ＤＣ１，ＤＣ２，ＤＣ３，ＤＣ４，ＤＣ５，ＤＣ６，
ＤＣ７，ＤＣ８，ＤＣ９，ＤＣ１０，ＤＣ１１，ＤＣ１２，
ＤＣ１３，ＤＣ１４          断路器
Ｎ                          無線ネットワーク
ＰＤ１，ＰＤ２              計器用変圧器
ＴＢ                        鉄骨
ＴＫ                        鉄構
Ｚ１，Ｚ２，Ｚ３，Ｚ４，Ｚ５，Ｚ６，Ｚ７，Ｚ８，Ｚ９，Ｚ１０，
Ｚ１１，Ｚ１２，Ｚ１３，Ｚ１４，Ｚ１５，Ｚ１６，Ｚ１７，Ｚ１８，
Ｚ１９，Ｚ２０              区間
【図１】
2018041135.tif 000003
【図２】
2018041135.tif 000004
【図３】
2018041135.tif 000005
【図４】
2018041135.tif 000006
【図５】
2018041135.tif 000007
【図６】
2018041135.tif 000008
【図７】
2018041135.tif 000009
【図８】
2018041135.tif 000010
【図９】
2018041135.tif 000011